(57)【要約】  【課題】  本発明は、作業者に負担をかけずに、容易に壁パネルに取付可能な鏡パネルを有した浴室ユニット、及び、浴室ユニットの組立方法を提供することを目的とする。  【解決手段】  本発明は、壁パネル表面に設置される鏡パネルを備えた浴室ユニットにおいて、鏡パネルが、その裏面に切欠を有している浴室ユニットである。また、以下の工程により設置される鏡パネルを備えた浴室ユニットの組立方法である。（ａ）壁パネルに鏡パネルを受ける受部を固定する工程。（ｂ）受部に鏡パネルの下端裏面の切欠を載せる工程。（ｃ）鏡パネルの切欠を支点として、鏡パネルを回転させ、壁パネルに押し当てる工程。（ｄ）鏡パネルと壁パネルとを固定する工程。  【選択図】  図７
2006026145.tif 000002
【特許請求の範囲】
【請求項１】
壁パネル表面に設置される鏡パネルを備えた浴室ユニットにおいて、鏡パネルが、その裏面に切欠を有している浴室ユニット。
【請求項２】
請求項１において、鏡パネルが、壁パネル側の上端高さを浴室内側上端高さよりも低くした上端形状をなす浴室ユニット。
【請求項３】
請求項１又は２において、切欠が鏡パネルの下端に設けられ、壁パネルが鏡パネルの上記切欠部分を載置する受部を備えた浴室ユニット。
【請求項４】
請求項１乃至３のいずれかにおいて、鏡パネルが、カウンタ直上に配置され、鏡パネルの厚みを上記カウンタの鏡パネルの最も近い箇所の浴室突出幅よりも大きくした浴室ユニット。
【請求項５】
請求項１、２又は４のいずれかにおいて、壁パネルが、鏡パネルの切欠に入り込み、鏡パネルを載置される受部を有している浴室ユニット。
【請求項６】
請求項１乃至５のいずれかにおいて、鏡パネルが、その表面に照明装置及び／又はシャワー固定具を有する浴室ユニット。
【請求項７】
以下の工程により設置される鏡パネルを備えた浴室ユニットの組立方法。
（ａ）壁パネルに鏡パネルを受ける受部を固定する工程。
（ｂ）受部に鏡パネルの下端裏面の切欠を載せる工程。
（ｃ）鏡パネルの切欠を支点として、鏡パネルを回転させ、壁パネルに押し当てる工程。
（ｄ）鏡パネルと壁パネルとを固定する工程。
【発明の詳細な説明】
【技術分野】
【０００１】
本発明は、浴室ユニット及びこの浴室ユニットの組立方法に関する。
【背景技術】
【０００２】
浴室ユニットは、在来工法では日数のかかる浴室の工事を、短期間に行えるように、ユニット化した部材を組み立てて完成させる浴室であり、近年の浴室では広く用いられている。
【０００３】
図１は、従来用いられている浴室ユニットの内部を表す概略斜視図である。浴室ユニットは、下面に配管を備えた防水パン１の周囲に壁パネル３を配し、この壁パネル３の上に天井パネル４を載せて浴室を形成形している。防水パン１の一部には、浴槽２を配置して、残る防水パン１の部分を洗い場とする。また、壁パネル３には、カウンター５、鏡６等を配置し、使用者の使い勝手を良くしている。
【０００４】
また、特許文献１に示すように、壁パネルには、意匠性を増すためにタイルを貼り付けたものがあり、タイルが粘着シートを介して合成樹脂成形板に粘着している。
【特許文献１】特開平６−２２６８９５号公報
【発明の開示】
【発明が解決しようとする課題】
【０００５】
しかしながら、特許文献１に記載されるものは、貼り付けるものが軽量なタイルであるため、単純に手作業にて順次貼り付けていけば良いが、壁パネルに接着又は固定するものが壁パネルと同等以上の重量物であるか、又は、壁パネルの半分以上の大きさを有するものである場合には、容易に接着又は固定することができないとの問題がある。
【０００６】
本発明は、作業者に負担をかけずに、容易に壁パネルに取付可能な鏡パネルを有した浴室ユニット、及び、浴室ユニットの組立方法を提供することを目的とする。
【課題を解決するための手段】
【０００７】
（１）本発明は、壁パネル表面に設置される鏡パネルを備えた浴室ユニットにおいて、鏡パネルが、その裏面に切欠を有している浴室ユニットである。
（２）項（１）において、鏡パネルが、壁パネル側の上端高さを浴室内側上端高さよりも低くした上端形状をなす浴室ユニット。
（３）項（１）又は（２）において、切欠が鏡パネルの下端に設けられ、壁パネルが鏡パネルの上記切欠部分を載置する受部を備えた浴室ユニット。
（４）項（１）乃至（３）のいずれかにおいて、鏡パネルが、カウンター直上に配置され、鏡パネルの厚みを上記カウンターの鏡パネルの最も近い箇所の浴室突出幅よりも大きくした浴室ユニット。
（５）項（１）（２）又は（４）のいずれかにおいて、壁パネルが、鏡パネルの切欠に入り込み、鏡パネルを載置される受部を有している浴室ユニット。
（６）項（１）乃至（５）のいずれかにおいて、鏡パネルが、その表面に照明装置及び／又はシャワー固定具を有する浴室ユニット。
（７）以下の工程により設置される鏡パネルを備えた浴室ユニットの組立方法。
（ａ）壁パネルに鏡パネルを受ける受部を固定する工程。
（ｂ）受部に鏡パネルの下端裏面の切欠を載せる工程。
（ｃ）鏡パネルの切欠を支点として、鏡パネルを回転させ、壁パネルに押し当てる工程。
（ｄ）鏡パネルと壁パネルとを固定する工程。
【発明の効果】
【０００８】
切欠を裏面に設けた鏡パネルは、切欠部分を用いて鏡パネルを載置する場所の位置決めを容易に行うことができ、設置を容易に行うことができる。
上端にテーパを設けた鏡パネルは、設置状態にて天井付近まで高さのあるものであっても、回転起立させることで、設置を容易に行うことができる。
切欠を複数設けたものは、更に精度良く位置決めを行うことができる。
鏡パネルが、カウンター直上に配置され、鏡パネルの厚みを上記カウンターの鏡パネルの最も近い箇所の浴室突出幅よりも大きくした場合は、鏡パネルを仮置きした後、起立させる際に鏡パネルの下端とカウンターとが接触しないので、鏡パネルとカウンターとの距離を短くすることができる。
壁パネルに受部を設けた場合は、鏡パネル設置の施工が行いやすい。
鏡パネルに照明装置等を設けると、使用者は、鏡を見るに十分な明かりを得ることができ、その場所を移動することなく、シャワーを浴びることもできる。
本発明の組立方法は、受部固定、鏡パネルの仮置き、鏡パネルの回転起立、鏡パネルの固定という順序で効率良く行えるので、作業時間を短縮することができ、一人作業であっても十分に行うことができる。
【発明を実施するための最良の形態】
【０００９】
本発明に用いられる壁パネルは、特に限定されるものではなく、具体的には、鋼板パネル、樹脂パネル等を使用することができる。また、鋼板パネルを使用する場合は、防錆処理を施すようにすることが好ましい。浴室壁面の裏面は、保温材、強化材等を貼り付けることができ、具体的には、軽量コンクリートボード、石膏ボード、発泡スチレン、発泡ウレタン等を用いることができる。
【００１０】
本発明に用いられる鏡パネルは、その表面に鏡を取り付けるものであり、その材質は、特に限定されるものではないが、金属、合成樹脂、これらの複合品等を使用することができ、好ましくは、高級感があり着色・加飾が容易である人造大理石を用いることができる。人造大理石は、例えばＳＭＣ、ＢＭＣ等を加熱加圧することにより得ることができ、成形材料に顔料を混入することで着色することもでき、印刷シート等を金型表面に配置し、その上に成形材料を載せて加熱加圧することで加飾することもできる。また、軽量化を図るために、鏡によって覆われる部分の一部に貫通孔を設けることができる。貫通孔は、鏡によって覆われる範囲内であれば、どのように設けても良く、１つの貫通孔であても、複数の貫通孔であっても良い。
【００１１】
貫通孔を設ける場合は、図２（ａ）に示すように、１つの貫通孔７により形成しても良いが、図２（ｂ）（ｃ）に示すように、複数の貫通孔７により形成しても良く、最終的に鏡を設置して、鏡により覆われるものであればその形状も自由に選択することができる。１つの孔により貫通孔を形成した場合には、孔の大きさを大きくすることにより、鏡パネル８の重量を減少させることができ、鏡裏面に曇止用の電熱線を配置することも容易に可能となる。複数の孔により貫通孔を形成した場合には、鏡パネル８と鏡との設置面積が増えることにより、安定して鏡を支えることが可能となり、特に図２（ｂ）に示すような格子状の貫通孔７、又は、図２（ｃ）に示すような千鳥状の貫通孔７を設けると、使用者鏡に寄りかかった場合でも、鏡が歪んだり、割れたりすることがない。鏡パネル８の大きさは、特に限定されるものではないが、浴室ユニット全体の印象を変化させるのに、カウンター横幅の１／２以上の横幅と、鏡の縦長さ以上の縦長さを有することが好ましい。
【００１２】
鏡パネルに設ける切欠は、鏡を設ける面を表面として、その裏面に設けられる。この切欠は、鏡パネルを設置する際に用いられるものであり、仮置きに使用されると共に、鏡パネルを位置決めすることにも使用される。
切欠の形状は、切欠を鏡パネルの下端に設けるのであれば、壁パネル側の下端を浴室内側の下端よりも高くするようにした段部を設けたもの、段を複数とした階段状のもの等を用いることができる。段部は、鏡パネルを設置した状態で水平となるように設けることが好ましいが、浴室内側から壁パネル側に向かって下り傾斜となるようにしても良い。また、切欠を鏡パネルの下端以外に設ける場合には、鏡パネルの裏面から表面へと貫通しない穴を設けたものが使用できる。この穴は、壁パネルを設置した状態で天井となる部分に水平面を設けることが好ましいが、浴室内側から壁パネル側に向かって下り傾斜となる天井としても良い。更に、切欠を鏡パネルの下端以外に設ける場合には、後述する受部に引っ掛けるように、鏡パネル表面に貫通しない断面Ｌ字状の穴（鏡パネルを設置した状態で、水平方向の横穴と、この横穴に連通した垂直方向の縦穴とを組み合わせたもの）を設けることができる。
尚、切欠を設ける個数は、一つであっても、複数であっても良い。
【００１３】
鏡パネルの上端は、水平であっても良いが、壁パネル側の上端高さを浴室内側上端高さよりも低くした上端形状とすることが好ましい。具体的には、一段又は複数段の階段形状とするか、徐々に先細りとなるテーパ形状を用いることができる。図３は、鏡パネルの側面拡大図であり、本発明の１具体例を示している。鏡パネル８の上端に設けられるテーパ９は、浴室内に向かって上り傾斜を有するものであり、この傾斜を利用することで、より天井パネルに近い位置まで鏡パネルを立設することができる。
図４は、テーパの有無による違いを説明する図面である。図４（ａ）は、テーパなしの具体例であり、図４（ｂ）は、テーパありの具体例を示す。図４（ａ）に示すように、鏡パネル８の上端にテーパを設けない場合には、鏡パネル８の下端に設けた切欠１０を壁パネル３に取り付けた受部１１に仮置きして、鏡パネル８を起立させる際に、鏡パネル８の上端角部が天井パネル４に衝突するので、天井パネル４と鏡パネル８との間をある程度距離を置いて設置する必要がある。しかしながら、図４（ｂ）に示すように、鏡パネル８の上端にテーパ９を設けた場合には、鏡パネル８の上端角部が天井パネル４に衝突しないため、天井パネル４と鏡パネル８との間に大きな隙間を作らなくても施工を行えるようになる。
【００１４】
鏡パネルの設置位置は、浴室内であって、壁パネルの表面に設置されるのであれば特に限定されないが、鏡を使用することから、カウンターの直上に設置されることが好ましく、カウンター、鏡パネル、水栓が縦に一直線となって並ぶことがより好ましい。使用者は、このように一直線上に並ぶことにより、使い勝手がよく、浴室内での動線を短くすることができる。
また、浴室壁面から浴室内への突出寸法となる鏡パネルの厚みは、特に限定されるものではないが、有る程度の厚みを持たせることで高級感が出ることから、３ｍｍ以上であることが好ましく、１０ｍｍ以上あることがより好ましい。但し、余りに厚みを持たせると、浴室ユニット内を狭く感じさせるので、鏡パネルを設置する浴室壁面に取り付けられた、シャワーヘッドを設置するスライドバー、浴槽に入る際に使用する握手バーよりも突出しないことが好ましく、具体的には厚みが５０ｍｍ以内であることが好ましい。
更に、前述したように、鏡パネルをカウンターの直上に設ける場合には、カウンターの最も高い部分の浴室内突出寸法（厚み）と、鏡パネルの浴室内突出寸法（厚み）とを同じにしも、鏡パネルの浴室内突出寸法を厚くしても良い。浴室内突出寸法を同じにした場合には、視覚的にバランスの良いものとなり、鏡パネルの浴室内突出寸法を大きくすれば、高級感が増すと共に、鏡パネルを回転起立させる際に鏡パネル下端角部がカウンターに衝突することがなく、カウンターと鏡パネルとの間の隙間を小さくすることができる。
【００１５】
本発明に用いる受部は、先に述べた壁パネルの切欠部分を仮置きする部分であり、壁パネル表面に浴室内へと突出するように設置される。受部は、鏡パネルを載置できるものであれば特に限定されるものではないが、立方体、直方体、三角柱等の形状をした部材を使用することができ、Ｌ字部材（Ｌ字金具等）、アングル材、壁パネルの切欠を引っ掛けるフック形状の部材等も使用することができる。中でも、壁パネルとの設置面積を大きくとれるものが、耐荷重を大きくすることができ好ましく、立方体又は直方体の受部を好適に使用することができる。
図５は、受部の具体例を示す断面図及び正面図である。受部１１は、その材質として、防錆処理を施した金属、合成樹脂整形品、これらの複合材料等を使用することができ、水場での使用により劣化しにくいものであれば特に限定されるものではない。また、壁パネル３への設置方法も特に限定されず、具体的には、壁パネル３の裏面に木材等の裏打材１２を配置し、この裏打材１２と受部１１とをビス１３により固定する方法がある。
図６は、受部の更に別の具体例を示す概略図である。本具体例では、受部を２つ用いており、受部１１の横幅Ｕの長さを、切欠１０の横幅Ｋの２／３としている。これほどの長さの違いがあると、施工者は、鏡パネルを両手に持ち、裏面が見えない状態であっても、容易に受部１１に対して切欠１０を仮置きすることができる。また、施工者は、鏡パネルを仮置きした後に、図６に示すように鏡パネル８を左右いずれか予め決定しておいた方向へと移動させることにより、受部１１と切欠１０とを当接させ、位置決めを行うことができる。
【００１６】
本発明にて述べる鏡パネルの表面には、鏡以外のものを設置しても良く、具体的には、照明装置、シャワーを固定する固定金具等を設置することができる。特に照明装置は、鏡の近傍に設けることにより、使用者の使い勝手が向上し、十分な明るさをもって使用者を照らすことができる。
【００１７】
本発明に用いる鏡は、特に限定されるものでなく、通常浴室ユニットに使用される鏡を用いることができる。鏡を鏡パネルに固定する方法は、特に限定されるものではなく、具体的には、鏡の下端を支え鏡の荷重を受ける「下金具」と、鏡の上端の倒れ込みを押さえる「上金具」とを用いる方法、鏡裏面を接着剤、接着テープ、吸盤により貼り合わせる方法等を用いることができる。
尚、本発明の浴室ユニット組立方法については、後述する実施例の中で詳細に説明する。
【実施例】
【００１８】
以下、本発明の実施例について図面を用いて説明する。
図７は、本発明の１実施例である浴室ユニットの組立方法を説明する側面図である。
組立ては、先ず図７（ａ）に示すように、壁パネル３の表面にステンレス製の受部１１を固定するところから始まる。受部１１の固定は、壁パネル３の裏面に配置した木製の裏打材１２を貫通させたビス１３により行われ、重量物である鏡パネルを十分に支え、仮置きできるようにする。
【００１９】
受部を設置した後は、図７（ｂ）に示すように、鏡パネル８の切欠１０の部分を受部１１に仮置きする。本実施例では、受部１１の横幅を１００ｍｍとし、４００ｍｍの間隔を隔てて２つの受部１１を設置してあり、鏡パネル８には、横幅１４０ｍｍの切欠１０を３６０ｍｍの間隔を隔てて設けている。従って。施工者は、横幅１４０ｍｍの切欠１０を横幅１００ｍｍの受部１１に載置することとなり、容易に行うことができる。
また、鏡パネル８を載置して仮置きした後に、鏡パネル８を浴槽設置側にずらし、切欠１０の側面と受部１１の側面とを当接させて、鏡パネル８の位置決めを行う。
【００２０】
鏡パネルの仮置き及び位置決めを終了した後は、図７（ｃ）に示すように、鏡パネル８を起立させる。鏡パネル８の上端には、テーパ（図示省略）を設けてあり、天井パネルとの隙間を１０ｍｍ以下としても上端角部が天井パネルに衝突しないようにしている。また、鏡パネル８を起立させて壁パネル３の表面に押し付けた後に、図７（ｄ）に示すように、天井パネル４と鏡パネル８との隙間に木製のくさび１４を打ち込むことによって、鏡パネル８の仮止めを行え、施工者が手を離しても鏡パネル８が転倒することがない。
【００２１】
鏡パネルと壁パネルとの固定は、図７（ｅ）に示すように、鏡パネル８に予め設けておいたビス孔１５よりビス１６を通し、壁パネル３を貫通させて、裏打材１２まで到達させて固定する。ビス１６の頭は、鏡パネル８の表面より突出しないようにしてあり、最終的には、鏡６により覆うことで、使用者からは見えないようになる。
【図面の簡単な説明】
【００２２】
【図１】従来例を示す浴室ユニット内部の概略斜視図である。
【図２】本発明の１具体例を示す鏡パネルの平面図であり、（ａ）は貫通孔が１つのもの、（ｂ）は複数貫通孔を格子状に配列したもの、（ｃ）は複数貫通孔を千鳥状に配列したものを示す。
【図３】本発明の１具体例を示す鏡パネルの側面拡大図である。
【図４】本発明の１具体例を示すテーパの有無による違いを説明する図面であり、図４（ａ）は、テーパなしの具体例であり、図４（ｂ）は、テーパありの具体例を示す。
【図５】本発明の１具体例を示す受部の断面図及び正面図である。
【図６】本発明の１具体例を示す受部の更に別の概略図である。
【図７】本発明の１実施例である浴室ユニットの組立方法を説明する側面図であり、（ａ）は受部の取り付け、（ｂ）は鏡パネルの仮置き、（ｃ）は鏡パネルの起立、（ｄ）は鏡パネルの仮止め、（ｅ）は鏡パネルの壁パネルへの固定を示す。
【符号の説明】
【００２３】
１…防水パン、２…浴槽、３…壁パネル、４…天井パネル、５…カウンター、６…鏡、７…貫通孔、８…鏡パネル、９…テーパ、１０…切欠、１１…受部、１２…裏打材、１３…ビス、１４…くさび、１５…ビス孔、１６…ビス
【図１】
2006026145.tif 000003
【図２】
2006026145.tif 000004
【図３】
2006026145.tif 000005
【図４】
2006026145.tif 000006
【図５】
2006026145.tif 000007
【図６】
2006026145.tif 000008
【図７】
2006026145.tif 000009